(57)【要約】【課題】  幅を実質的に上回る長さを有する細長い粘着性物品を提供する。【解決手段】  粘着性物品は、接着剤層と、物品長に実質的に垂直に配向された裏当て層の除去可能なストリップで形成された単一の弱体化された領域を有する裏当て層とを含む。裏当て層の除去可能なストリップは、約２〜約１５ｍｍの間隙により分離された１対の弱い線（lines of weakness）により少なくとも部分的に画定される。細長い物品は、ガーゼ付き絆創膏又は絆創膏の形の吸収性パッドを含むことができる。そのような細長い物品を使用する方法は、物品を哺乳類の皮膚に貼る工程と、予め画定されたストリップを物品から除去する工程と、物品の残りを皮膚から除去する工程とを含む。【選択図】  図１
2015093195.tif 000002
【特許請求の範囲】
【請求項１】
幅を実質的に上回る長さを有する細長い粘着性物品であって、
ａ）厚さと、前記物品の前記長さにわたる第１及び第２の側縁部と、第１及び第２の端部とを有する、粘着剤が第１の表面上に配置された裏当て層と、
ｂ）前記物品の長さに実質的に垂直に配向される裏当て層の除去可能なストリップを含む単一の弱体化された領域と、を備え、前記裏当て層の除去可能なストリップは、約２〜約１５ｍｍの間隙により分離された１対の弱い線により少なくとも部分的に画定される、細長い粘着性物品。
【請求項２】
前記１対の弱い線は、約２〜約６ｍｍの間隙により分離されている、請求項１に記載の物品。
【請求項３】
前記１対の弱い線は、前記第１の側縁部から前記第２の側縁部の方に延在する、請求項１に記載の物品。
【請求項４】
前記１対の弱い線は、前記物品の前記幅の実質上全てにまたがる、請求項１に記載の物品。
【請求項５】
弱いスパンの前記線の少なくとも１つは、穿孔を含む、請求項１に記載の物品。
【請求項６】
弱いスパンの前記線の少なくとも１つは、前記裏当て層の前記厚さの低減を含む、請求項１に記載の物品。
【請求項７】
前記弱い線の少なくとも１つは、前記第１の側縁部に近接するスリットを含む、請求項１に記載の物品。
【請求項８】
前記スリットは、前記第１の側縁部に実質的に垂直に配向される、請求項７に記載の物品。
【請求項９】
前記弱い線は、実質的に平行である、請求項１に記載の物品。
【請求項１０】
前記裏当て層の前記第１の表面は、少なくとも２つの領域、つまり、前記除去可能なストリップに対応する第１の領域と、前記表面の他の部分に対応する第２の領域とを有し、前記第１の領域は、前記除去可能なストリップの剥離強度を有し、この剥離強度は、前記第２の領域の前記剥離強度を下回る、請求項１に記載の物品。
【請求項１１】
前記裏当て層の前記第１の表面に動作可能に接続された吸収性パッドを更に備える、請求項１に記載の物品。
【請求項１２】
前記吸収性パッドは、ファイバ、発泡体、及び親水コロイドからなる群から選択される１つ又は複数の材料を含む、請求項１１に記載の物品。
【請求項１３】
前記吸収性パッドは、織布又は不織布を含む、請求項１２に記載の物品。
【請求項１４】
前記吸収性パッドは、更に、少なくとも１つの活性成分を含む、請求項１１に記載の物品。
【請求項１５】
請求項１に記載の前記細長い粘着性物品を使用する方法であって、
ａ）前記物品を哺乳類の皮膚に貼る工程と、
ｂ）前記物品の前記第１の側縁部に近接した前記裏当て層の除去可能なストリップを把持し、前記裏当て層の除去可能なストリップを引っ張って前記物品が貼られている前記皮膚から離し、それによって前記弱い線に沿って前記裏当て層を破断し、前記粘着性物品から前記裏当て層の除去可能なストリップを除去し、前記粘着性物品の残りを前記皮膚に付着したままにする工程と、
ｃ）前記粘着性物品の前記残りを把持して、前記粘着性物品の前記残りを前記皮膚から除去する工程と、を含む、方法。
【請求項１６】
前記物品を貼る工程は、哺乳類の身体部を前記物品で取り囲むことと、前記第２の端部の上に前記第１の端部を重ね合わせることと、前記第１の端部を前記第２の端部に付着させることと、を含む、請求項１５に記載の方法。
【発明の詳細な説明】
【技術分野】
【０００１】
本発明は、粘着性物品が配置される基材から容易に除去可能である粘着性物品に関する。更に詳しくは、本発明は哺乳類の皮膚からの除去に向けて裂けやすい領域を有する医療用テープ及び創傷カバーなどの粘着性物品に関する。
【背景技術】
【０００２】
テープ及び創傷を覆う救急絆などの粘着性物品は、当技術分野で良く知られており、ヒト及び他の哺乳類向け及びヒトのスポーツ時の保護向けに様々な医療用途に使用されている。創傷を覆う救急絆の場合、無菌の創傷を覆うパッドが、創傷に接触し、感圧接着剤で被覆された裏当て層が、傷の近傍の露出した皮膚への救急絆の堅固な取り付けを可能にする。
【０００３】
近年、救急絆が汗又は水泳活動により湿れたときでも剥離しない救急絆などの粘着性物品に向けて接着剤が開発されている。物品の隅部は、救急絆の容易な外れを防止するように成形されていることが多い。
【０００４】
これらの開発品により、全て、特に皮膚の領域が毛髪で覆われるときに救急絆の除去が難しくなっている。救急絆除去は、通常は、非常に痛いので、大半のユーザーが、痛みの持続時間を最小限に抑えるために、激しく、できるだけ素早く引っ張って救急絆を除去する。この動作により、時には、特に救急絆が創傷部位で繰り返し除去及び交換されるときに、ユーザーに更なる切り傷及び創傷が発生する。
【０００５】
救急絆が小さい外肢（指又は足指）を治療するために使用されるとき、救急絆は、外肢の周りに巻かれて、裏当て層が重なり合う。これらの場合、この重なり部分の付着力は、皮膚に対する救急絆の付着力よりも強力である。多くの場合、救急絆を激しく引っ張るのを回避するために、ユーザーは、皮膚から救急絆を除去しやすいようにナイフ、鋏、又は、外科用メスさえなどの鋭利な器具を採用する。この処置は、縫合しても仕方ないほど深刻な切り傷がユーザーに発生し兼ねない。
【０００６】
粘着性物品の難しい除去という問題を克服するために、「プルタブ」、つまり、裏当ての縁部から突出した、接着剤のない裏当ての部片を使用する者もいる。裏当てが、皮膚から除去しやすいように付着力が低い領域を有する場合がある。別の除去が容易な方法は、付着力を妨害するために、壊すと粘着性の領域に油を放出させることができる油を含む中実ビーズを有することである。
【０００７】
例えば、米国特許第４，５２６，１６６号（Ｓｉｌｂｅｒ）は、第１及び第２の担体ストリップを含む救急絆を開示するという趣旨のものである。第１のストリップは、創傷上に置かれることになっている材料の液体吸収性軟質パッドを含む。第２のストリップは、創傷から離間された場所にて患者の皮膚上へ置かれる接着剤を担持する。２つのストリップは、ストリップをお互いから剥離するために簡単に操作可能である引き裂き紐などの第３の要素を形成する剥離可能な装着具により接続される端部を有する。これにより、第２のストリップから独立してパッド及び第１のストリップの持ち上げが可能であり、それで、皮膚から剥離するために第２のストリップに印加された力が、第１のストリップ及び創傷に伝達不可能である。
【０００８】
米国特許第７，０７８，５８２号（Ｓｔｅｂｂｉｎｇｓら）は、感圧粘着性物品及び方法、特に、皮膚又は同様の繊細な表面に付着する際の使用に向けた引き伸ばし除去式の粘着性物品開示するという趣旨のものである。物品の引き伸ばし除去性は、引き伸ばし除去式の感圧接着剤の選択の結果として発生することが好ましい。物品及び方法の一実施形態では、接着剤及び裏当ては、除去時に離層する。物品及び方法の別の実施形態では、裏当ては、裏当ての中央の場所に位置する予め画定されたタブを含む。
【発明の概要】
【発明が解決しようとする課題】
【０００９】
これらの解決策では、粘着性物品の難しい除去という問題を完全には解決することができない。プルタブは、はからずも、時期早尚に物品を捕捉して剥離する可能性がある。油を伴うビーズは、はからずも断裂して時期尚早に物品を剥離する可能性がある。更には、接着剤の量を裏当ての様々な領域において制御することが難しい。
【００１０】
哺乳類の皮膚によく付着し、かつ更なる損傷の過剰な痛み又はリスクを引き起こすことなく意のままに容易に除去可能である粘着性物品に対する必要性が当技術分野にある。この必要性は、よく接着し、同時に、哺乳類の皮膚からの救急絆の剥離中に最小の困難さで容易に除去することができる救急絆接着剤を作り出す際の固有の問題点により増幅されている。
【課題を解決するための手段】
【００１１】
驚くべきことに、接着性物品をユーザー皮膚から除去することができる容易さを向上させる新規な方法を見つけた。本発明の一態様では、幅を実質的に上回る長さを有する細長い粘着性物品は、接着剤層と、物品長に実質的に垂直に配向される裏当て層の除去可能なストリップで形成された単一の弱体化された領域を有する裏当て層とを含む。裏当て層の除去可能なストリップは、約２〜約１５ｍｍの間隙により分離された１対の弱い線により少なくとも部分的に画定される。細長い物品は、ガーゼ付き絆創膏又は絆創膏の形の吸収性パッドを含むことができる。
【００１２】
本発明の別の態様では、そのような細長い物品を使用する方法は、物品を哺乳類の皮膚に貼る工程と、ストリップを物品から除去する工程と、物品の残りを皮膚から除去する工程とを含む。ストリップを除去する工程は、物品の第１の側縁部に近接する裏当て層の除去可能なストリップを握持して、裏当て層の除去可能なストリップを引っ張って該物品が貼られている皮膚から離し、それによって裏当て層を弱い線に沿って破断する工程を含む。その後、除去可能なストリップを粘着性物品から除去し、粘着性物品の残りが皮膚に接着されたままになる。
【図面の簡単な説明】
【００１３】
本発明の実施形態は、ここで、あくまでも例示として、添付図面を参照して更に詳細に説明する。
【図１】本発明の細長い粘着性物品の平面図である。
【図１ａ】図１の細長い粘着性物品の拡大部分である。
【図２】ｘ−−−ｘ面に沿って切り取った図１の物品の側面図である。
【図３】本発明の細長い粘着性物品の第２の実施形態の平面図である。
【図３ａ】図３の細長い粘着性物品の拡大部分である。
【図４】ｘ−−−ｘ面に沿って切り取った図３の物品の側面図である。
【図５】本発明の創傷カバーの形の細長い粘着性物品の平面図である。
【図６】ｘ−−−ｘ面に沿って切り取った図５の創傷カバーの横断面図である。
【図７】裂けやすい領域を持ち上げる前の図５の創傷カバーの端面図である。
【図８】裂けやすい領域を持ち上げた後の図５の創傷カバーの端面図である。
【図９】裂けやすい領域が部分的に除去された後の本発明に係る創傷カバーの平面図である。
【図１０ａ】ユーザーの指からの本発明の細長い粘着性物品の１つの除去方法の図である。図１０ａは、ユーザーの指の上の第２の実施形態細長い粘着性物品を示す。図１０ｂは、裂けやすい領域が持ち上げられた後の細長い粘着性物品を示す。図１０ｃは、ユーザーの指から部分的に除去された細長い粘着性物品を示す。
【図１０ｂ】ユーザーの指からの本発明の細長い粘着性物品の１つの除去方法の図である。図１０ａは、ユーザーの指の上の第２の実施形態細長い粘着性物品を示す。図１０ｂは、裂けやすい領域が持ち上げられた後の細長い粘着性物品を示す。図１０ｃは、ユーザーの指から部分的に除去された細長い粘着性物品を示す。
【図１０ｃ】ユーザーの指からの本発明の細長い粘着性物品の１つの除去方法の図である。図１０ａは、ユーザーの指の上の第２の実施形態細長い粘着性物品を示す。図１０ｂは、裂けやすい領域が持ち上げられた後の細長い粘着性物品を示す。図１０ｃは、ユーザーの指から部分的に除去された細長い粘着性物品を示す。
【発明を実施するための形態】
【００１４】
やはり、ヒト及び他の哺乳類の皮膚のためによく付着する粘着性物品は、特に指及び足指の回りに貼られたときには除去が難しいことが多い。それ故、更なる損傷の過剰な痛み又はリスクを引き起こすことなく哺乳類の皮膚から容易に除去可能である新規な細長い粘着性物品を提供した。
【００１５】
図１及び２は、本発明の細長い粘着性物品の第１の実施形態を示す。細長い粘着性物品１０は、幅を実質的に上回る長さを有する裏当て層１１と、第１及び第２の表面と、第１の表面に関連した接着剤層１２とを含む。裏当て層１１は、第１の側縁部１１ａと、第２の側縁部１１ｂと、第１の端部１１ｃと、及び第２の端部１１ｄとを有する。物品１０は、物品長に実質的に垂直に配向される裏当て層の除去可能なストリップ１５を含む単一の弱体化された領域１４を有する。除去可能なストリップ１５は、第１の側縁部１１ａから始まり、かつ、細長い物品の幅全体にわたって概ね配置される１対の弱点部１６により少なくとも部分的に画定される。細長い物品１０が付着される表面から該粘着性物品を除去しやすくするために、ユーザーは、第１の側縁部１１ａから始まる弱い線１６をその長さに沿って（細長い要素「ｙ軸」の幅全体にわたって）破断して弱い線１６と間の領域内のストリップ１５を除去することになる。その後、ユーザーは、物品１０の残りの部片を除去しやすくするタブとして粘着性物品１０の上に残る断裂した縁部を使用することができる。
【００１６】
裏当て層１１は、矩形、長円形、卵形、又は長方形を含むがこれらに限定されず、様々な形状を有することができる。細長い粘着性物品１０の形状は、裏当て層１１の形状により画定される。裏当て層１１は薄く、高可撓性又は変形可能性であり、水不透過であり、並びに、透明又は不透明であり得る。一般に、裏当て層１１の厚さは、望まれる形成及び屈曲特性を達成するために、約０．０５〜０．２ミリメートル（「ｍｍ」）である。
【００１７】
裏当て層１１内で使用される材料は、本体の輪郭部に適合し、かつ、製品を装用する身体部の自由な動きを可能にするように可撓性であることが望まれる。更に、裏当て層１１は、軽量とすることができ、かつ、特性は弾性（弾性ゴム状）であり得る。織布又は不織布、フィルム又は発泡体とすることができる。裏当て層１１を形成するのに役立つ高分子材料としては、ポリオレフィン（ポリエチレンなど）、ポリウレタン及びポリ塩化ビニルが挙げられる。裏当ての他の実施例としては、綿、ポリエステル、ポリウレタン、レーヨンなどの不織布、織布又は編布を含むが、これらに限定されるものではない。
【００１８】
ポリエチレンフィルムを裏当て層１１として使用してもよく、特に有効な結果は、ポリウレタン製伸縮性エラストマーフィルムで達成することができ、これは気体（水蒸気）透過性という更なる利点を有する。しかしながら、当該技術分野において既知の他の可撓性水不溶性高分子フィルムを使用してもよいことが理解される。更に、裏当て層１１は、独立気泡高分子発泡体、特に使用者の皮膚から離れた方向を向く側を覆う組込型表皮層を有するものから形成されてもよい。ポリウレタン又はポリエチレンから形成された発泡体層は好適であり、一方、同様の特性を有する他の高分子発泡体を使用してもよい。加えて、裏当て層１１は、他のポリオレフィン、ビニルポリエチレンアセテート、不織布、ゴム又は粘着剤物品業界で既知の他の材料から製造されてもよい。本発明の絆創膏において使用される裏当て層１１を製造するのに用いられるポリマーは、約１９０℃の温度にて約５００〜５００，０００センチポアズ、又は約１９０℃の温度にて約１，０００〜３０，０００センチポアズ、又は約１９０℃の温度にて約３，０００〜１５，０００センチポアズの粘度を呈し得る。裏当て層１１は、液体に対して不透過性であり得るが、気体に対しては透過性であり得、これにより本発明の細長い粘着性物品１０が付着した創傷及び皮膚は呼吸することができる。一実施形態では、裏当て層１１は、きわめて小さなサイズの分子を有する気体の通過のみを許容するサイズの孔を有し得る。最後に、皮膚の更なる通気のために穿孔された裏当て層を思い付くことができる。穿孔は領域が円形であってもよく、例えば、約０．１〜約０．８ミリメートルといった一定範囲の直径を有してもよい。しかしながら、裏当て層１１は、必要な場合は、気体に対して全体として不透過性であってもよい。
【００１９】
１つの好適な実施形態では、裏当て層は、実質的に細長い物品の幅全体にわたって配向される縦糸又は横糸を有する織布を含む。したがって、細長い物品全体にわたって伝搬される裂け目は、物品が除去可能なストリップ１５の除去により分離されるまで続く傾向があることになる。別の実施形態では、裏当て層は、細長い物品全体にわたって伝搬される裂け目は、物品が除去可能なストリップ１５の除去により分離されるまで続く傾向があることになる配向された高分子を含む。
【００２０】
やはり、裏当て層の長さは、幅を実質的に上回る。好ましくは、裏当て層１１の幅は、少なくとも約１０ｍｍ、更に好ましくは、少なくとも１５ｍｍ、又は、少なくとも約２０ｍｍである。好適な実施形態では、裏当て層１１の幅は、約１００ｍｍ未満、更に好ましくは、約７０ｍｍ未満、最も好ましくは、約４０ｍｍ未満である。したがって、裏当て層１１の幅は、約１０ｍｍ〜１００ｍｍ、好ましくは、約１５ｍｍ〜７０ｍｍ、更に好ましくは、約２０ｍｍ〜４０ｍｍとすることができる。一実施形態では、裏当て層１１の幅は、約２５ｍｍである。
【００２１】
物品１０は、第１の側縁部１１ａから始まり、かつ、ｙ軸に沿って配置される２つの弱い線１６により少なくとも部分的に画定された単一の弱体化された領域１４を有する。結果的に得られる除去可能なストリップは、約２ｍｍ〜１５ｍｍ、好ましくは、約２ｍｍ〜１０ｍｍ、更に好ましくは、約２ｍｍ〜６ｍｍ、及び、最も好ましくは約４ｍｍの幅（２つの弱い線１６の間の最大値距離により画定された）を有する。
【００２２】
一方、図２は、弱点部１６の線がｚ軸に沿って裏当て層１１及び接着剤層１２を介して完全に通過する弱点部要素１６ａにより形成されることを示す。他の実施形態では、弱い線１６が、切り目（スコーリング）、つまり、その元の厚さからの裏当て層の薄層化により画定することができることを理解されたい。他の実施形態では、２つの弱い線１６の少なくとも一方は、切り目をつけることができ、一方、弱点部１６の他方の線は、完全に穿孔された弱点部要素１６ａを含む。
【００２３】
弱い線１６は、実質的に平行であることが好ましい。しかしながら、線が、裏当て層１１の除去可能なストリップ１５を設ける限り収束又は分岐することは容認可能であろう。
【００２４】
弱点部要素１６ａは、円形、長円形、線形、矢印形、又は、Ｖ字形、Ｙ字形で、Ｓ字形、山形、部分山形、及びドットパターンを含め、任意の形状とすることができる。一部の実施形態では、線形切れ目の単純な線形パターンが使用され、パターン中で切れ目は、細長い粘着性物品１０全体にわたって横方向に延在する単一の、破線分離線を作り出すために整列される。
【００２５】
一部の実施形態では、弱点部要素は、等しい長さである。これを図１ａであれば拡大図で示す。弱点部要素の長さは、約０．１ｍｍ〜約５ｍｍ、代替的に約０．２５ｍｍ〜約３ｍｍ、又は、更には約０．５ｍｍ〜約１ｍｍの範囲とすることができる。弱点部要素間の間隙は、均一又は可変とすることができる。弱点部要素の間の間隙は、約０．１ｍｍ〜約５ｍｍ、好ましくは、約０．２５ｍｍ〜約３ｍｍ、及び、最も好ましくは、約０．５ｍｍ〜約１ｍｍの範囲とすることができる。
【００２６】
弱点部要素１６ａのサイズ及びその間の距離は、除去可能なストリップ１５を断裂させて除去するために必要とされる力を決定する一助となる。
【００２７】
図１に示すように、弱い線１６は、第１の側縁部１１ａから始まり、概ねｙ軸に沿って配置されて、第１の側縁部１１ａと第２の側縁部１１ｂとの間の点にて終端する。図に示すように、弱い線１６は、裏当て層の幅のほぼ半分（５０％）にまたがる。様々な実施形態では、弱い線１６は裏当て層の幅の実質的に全て又は裏当て層の幅を下回るある程度の量にわたり得ることを理解されたい。１つの好適な実施形態では、弱い線は、幅の約７５％にまたがる。別の実施形態では、弱い線は、裏当て層の幅の約３３％又は更には２５％にまたがる。
【００２８】
図１は、第１の側縁部１１ａにて始まる弱い線１６も示す。他の実施形態では、弱い線１６は第１の側縁部１１ａと第２の側縁部１１ｂとの間の途中の地点にて始まり得ることを理解されたい。例えば、弱い線は、除去可能なストリップの望ましくない早まった除去を防止するために、側縁部から、裏当て層幅の約１％〜約５％などで若干離間させることができる。別の実施形態では、弱い線は、側縁部からより大きな距離にて、おそらく裏当て層幅の１０％〜２０％も離間され得る。
【００２９】
また、細長い粘着性物品１０の裏当て層１１は、第１の表面に関連した、好ましくは、第１の表面上に配置された接着剤層を有する。一般に、様々な感圧性接着剤のいずれかを接着剤層１２として利用することができる。特に、ヒトの皮膚に対して生体適合性を有する感圧接着剤が、典型的には利用される。一部の実施形態では、本発明の接着剤は、概ね水溶性、若しくは概ね水不溶性、又は水性環境において分散性のいずれかでもあり得る。例えば、市販の分散性感圧接着剤は、商品名ＨＬ−９４１５−Ｘで販売されており、Ｈ．Ｂ．Ｆｕｌｌｅｒ  Ｃｏｍｐａｎｙから入手可能である。別の好適な接着剤としては、約１０〜７５重量％のポリアルキルオキサゾリンポリマー、１０〜７５重量％のヒドロキシ化合物又はカルボン酸化合物を含む官能性希釈剤、及び５〜５０重量％の粘着付与剤が挙げられる。
【００３０】
接着剤層１２は、親水コロイドを含むことができる。使用されるヒドロコロイド要素は、数ある中でも、例えば、カルボキシメチルセルロースナトリウム、ペクチン、キサンタンガム、多糖類、アルギン酸ナトリウム又はカルシウム、キトサン、海草抽出物（カラギーナン（cageenan））、ポリアスパラギン酸、ポリグルタミン酸、ヒアルロン酸又は塩、及びそれらの誘導体等の、本利用において良好な性能を有する任意の物質であってもよい。
【００３１】
数ある中でも、カルボキシメチルセルロースナトリウム及びペクチン等のヒドロコロイドは、創傷から体液と接触するとすぐに、ゲルを形成する物質である。絆創膏で使用される場合、これらのヒドロコロイドは、エラストマー及び／又は接着剤と混合される。好ましくは、絆創膏は、治癒の促進に好適な条件である、飽和、瘢痕形成なしの湿潤環境をもたらすべきである。
【００３２】
接着剤層１２は、とりわけ、例えば、アクリル系感圧接着剤などのそのような使用に関して既知の任意の従来の接着剤であってもよい。加えて、そのような接着剤は、接着を強化させるための樹脂、凝集強化剤、吸収剤（好ましくは、ポリアクリレート超吸収体、ポリアクリレート塩超吸収体、又はそれらの混合物）、可塑剤、及び任意に顔料を含有してもよい。接着剤層は更に、エラストマー基材からなる、線状に配列される不連続パターン、スクリーン、スプレー、又は当業者が不連続と理解する任意の他の形態で構成されてもよい。
【００３３】
図３及び４は、本発明の細長い粘着性物品の第２の実施形態を示す。細長い粘着性物品２０は、第１及び第２の表面を有する裏当て層２１と、第１の表面に関連した接着剤層２２とを含む。裏当て層２１は、第１の側縁部２１ａと、第２の側縁部２１ｂと、第１の端部２１ｃと、及び第２の端部２１ｄとを有する。物品２０は、１対の弱い線２６により少なくとも部分的に画定される裏当て層の除去可能なストリップと、第１の側縁部２１ａから始まり、かつ、ｙ軸に沿って配置される１対のスリット２７とを含む単一の弱体化された領域２４とを有する。弱点部要素２６及びスリット２７により、結果的に細長い粘着性物品２０全体にわたって除去可能なストリップ２８が得られる。
【００３４】
細長い粘着性物品２０が配置される基体から該細長い粘着性物品を除去しやすくするために、ユーザーは、例えば、指の爪を使用して、除去可能なストリップ２８の縁部を１対のスリット２７の間で開始する基体から持ち上げることになる。このようにすると、一対のスリット２７は、「取出し点」又は「開始点」としての役目を果たす。その後、ユーザーは、第１の側縁部２１ａから始まる弱い線２６を裏当て層全体にわたってそれらの長さに沿って断裂させて、除去可能なストリップ２８を除去することになる。その後、ユーザーは、物品２０の残りの部片を基体から除去しやすくするタブとして粘着性物品１０の上に残る断裂した縁部を使用することができる。
【００３５】
裏当て層２１、接着剤層２２及び弱い線２６及びスリット２７の線の詳細は、第１の実施形態で論じたもの（図１及び２）と同じである。この実施形態では、裏当て層の第１の表面上に配置された接着剤層２２は、２つの部分、即ち、第１の剥離強度を有し、かつ、除去可能なストリップ２８に対応する第１の部分２２ａと、第２の剥離強度を有する、第１の粘着性区分２２ｂと第２の粘着性区分２２ｃとを含む第２の部分を有すると図示されている。剥離強度は、ＰＴＳＣ−１０１（試験方法Ｆ、標準的な鋼板上で９０°の角度、２０００年１０月発行、２００３年１０月及び２００７年７月改訂）を使用して決定することができる。一部の実施形態では、２つの部分の剥離強度は、実質的に全く同じである。他の実施形態では、第２の部分（第１及び第２の粘着性区分２２ｂ及び２２ｃを含む）の剥離強度は、第１の部分２２ａを上回る。一部の実施形態では、第１の部分２２ａの剥離強度は、約第２の部分の剥離強度の７５％である。他の実施形態では、第１の部分２２ａの剥離強度は、第２の部分の剥離強度の約５０％、更に好ましくは、第２の部分の約２５％未満である。更に別の実施形態では、裏当て層第１の表面の第１の部分の上には接着剤が実質的にない。裏当て層の第１の表面の部分の間の異なる度合いの付着力を、付着力が第１の部分２２ａ上の方で小さい第２の接着剤を使用することにより達成することができる。あるいは、裏当て層２１の上で、接着剤層は、第１の部分２２ａ上ではより少なく、すなわち接着剤が塗布されない所のある、断続的なパターンで構成することができる。
【００３６】
図３に示すように、弱い線２６は、第２の側縁部２１ｂ近傍で終端する。先の図１及び図２に関係する実施形態の場合と同様に、弱い線２６は裏当て層の幅の全て又は一部にわたり得ることを理解されたい。
【００３７】
図３及び図３ａの詳細図に示すように、除去可能なストリップ２８の「取出し点」を画定するスリット２７は、裏当て層２１の第１の側縁部２１ａにて始まる。他の実施形態では、スリット２７が裏当て層２１の第２の側縁部２１ｂにても始まり得ることを理解されたい。更に他の実施形態では、２組のスリット２７が、裏当て層２１の第１の側縁部２１ａ及び第２の側縁部２１ｂにて始まり得る。
【００３８】
スリット２７は、円形、長円形、線形、矢印形、又は、Ｖ字形、Ｙ字形で、Ｓ字形、山形、又は部分山形を含め、任意の形状とすることができる。一部の実施形態では、スリットの単純な線形パターンが使用され、スリットは、細長い粘着性物品１０全体にわたって横方向に延在する単一の、破線分離線を作り出すために整列される。
【００３９】
スリット２７は、裏当て材料の側縁部１１ａに垂直であってもよいが、又は、９０°以外の角度にて配置してもよい。しかしながら、そのような傾斜スリットに関連した弱い線２６は、実質的に垂直であることが好ましい。
【００４０】
一部の実施形態では、スリット２７は、等しい長さである。スリットの長さは、約０．１ｍｍ〜約５ｍｍ、好ましくは、約０．２５ｍｍ〜約３ｍｍの範囲とすることができる。スリットの長さを最小限に抑え、かつ、除去ストリップの早まった除去の可能性を低減することが望まれる場合、スリットを約０．５ｍｍ〜約１ｍｍの長さに制限することを所望してよい。
【００４１】
また、図３に示すように、弱い線は、ｚ軸に沿って裏当て層２１及び接着剤層２２を完全に通過する弱点部要素２６ａを含む。他の実施形態では、弱い線２６が連続的に又は破線パターンで切り目を付けられ得ることを理解されたい。
【００４２】
上述したように、細長い粘着性物品２０が付着される基体から該細長い粘着性物品を除去しやすいように、ユーザーは、１対のスリット２７の間で開始する裏当て層２１を持ち上げる。その後、ユーザーは、長さに沿って（ｙ軸に沿って）第１の側縁部２１ａから始まるミシン目２６を裂いて、除去可能なストリップ２８を除去する。第３の粘着性区分２２ｃの剥離強度が粘着性の区分２２ａ及び２２ｂの剥離強度を下回る実施形態では、したがって、除去可能なストリップ２８の除去がより容易になる。
【００４３】
図５〜９は、本発明の細長い粘着性物品の第３の実施形態を示す。この実施形態では、細長い粘着性物品は、ガーゼ付き絆創膏４０（絆創膏としても知られる）と称されることになる。救急絆４０は、第１及び第２の表面による裏当て層４１と、接着剤層４２と、第１の層に関連した吸収性パッド４５とを含む。裏当て層４１は、第１の側縁部４１ａと、第２の側縁部４１ｂと、第１の端部４１ｃと、及び第２の端部４１ｄとを有する。救急絆４０は、弱い線４６により少なくとも部分的に画定された吸収性パッド４５に近接して位置する除去可能なストリップ４９と、第１の側縁部２１ａ及び第２の側縁部４１ｂから始まり、かつｙ軸に沿って配置される２対のスリット４７とを有する。したがって、除去可能なストリップ４９は指又は足指など小さい外肢に巻回されたとき、細長い物品の端部により覆われそうにない。
【００４４】
救急絆４０を除去しやすいように、ユーザーは、例えば、指の爪を使用して、１対のスリット４７の間で開始する除去可能なストリップ４９を持ち上げることになる。このようにすると、一対のスリット４７は、「取出し点」と又は「開始点」の役目を果たす。その後、ユーザーは、除去可能なストリップ４９を裏当て層の幅全体にわたって裏当て層４１の１つの側縁部から始まる弱い線４６に沿って断裂させて、除去可能なストリップ４９を除去することになる。ユーザーは、それぞれの側面が「取出し点」を有するので、裏当て層４１の第１の側縁部４１ａ又は第２の側縁部４１ｂから開始することができる。その後、ユーザーは、救急絆４０の残りの部片を除去しやすくするタブとして救急絆４０の上に残る断裂した縁部を使用することができる。
【００４５】
裏当て層４１、接着剤層４２、弱い線４６及びスリット４７の詳細は、第１及び第２の実施形態（図１〜４）で論じたものと同じである。図５に示すように、弱い線４６及びスリット４７は、吸収性パッド４５の片側上に配置される。他の実施形態では、弱い線４６及びスリット４７は、吸収性パッド４５より上方の裏当て層４１の領域を覆うように配置することができる。
【００４６】
第３の実施形態に示すような救急絆４０は、裏当て層４１の第１の表面に関連した吸収性パッド４５を有する。吸収パッド４５は、裏当て層４１の第２の表面に面し第１の表面積を有する第１の表面と、第１の表面の反対側であり皮膚に面する第２の表面積を有する第２の表面と、を含む。本明細書で使用するとき、「裏当て層と関連した」は、吸収パッド４５が裏当て層４１に直接的又は間接的のいずれかで固定され、その結果、通常使用中に吸収パッド４５から分離するようにはならないことを意味する。
【００４７】
また、ユーザーは除去可能なストリップ４９の縁部を持ち上げることにより、救急絆４０を除去することができる。図８は、除去可能なストリップ４９が（ｚ軸に沿って）部分的に持ち上げられた後の救急絆４０の端面図である。部分的に持ち上げられた除去可能なストリップ４９は、タブ４８として図示されている。
【００４８】
図９は、除去可能なストリップ４９が除去された後の救急絆４０の平面図である。救急絆４０は、ここでは、２つの区分、つまり第１の区分４０ａ及び第２の区分４０ｂにある。第２の区分４０ｂは、該区分に付着された吸収性パッド４５を有する。第１の区分４０ａ及び第２の区分４０ｂは、ここでは、若干持ち上げられており、基体から容易な除去が可能である。
【００４９】
図１０ａ〜１０ｃは、ユーザーの人差し指６２からの本発明の細長い粘着性物品２０第２の実施形態の１つの除去方法の図である。図１０ａは、ユーザーの手６０及び細長い粘着性物品２０が配置された人差し指６２を示す。除去可能なストリップ２８が、細長い粘着性物品２０上に図示されている。細長い粘着性物品２０を指６２から除去するために、ユーザーは、指の爪を使用して、除去可能なストリップ２８の縁部を１対のスリット２７（「取出し点」）間で開始する指から持ち上げることになる。その後、ユーザーは、ミシン目２６を長さに沿って断裂させて、除去可能なストリップ２８を除去することになる。図１０ｂは、除去が容易な除去可能ストリップ２８が持ち上げられた後の細長い粘着性物品を示す。その後、ユーザーは、物品２０の残りの部片を人差し指６２から除去しやすくするタブとして粘着性物品１０の上に残る断裂した縁部を使用することができる。図１０ｃは、ユーザーの指６２から部分的に除去された細長い粘着性物品２０を示す。
【００５０】
上述の細長い粘着性物品を製造するプロセスは、ガーゼ付き絆創膏を製造すると従来知られているものいずれかであり得る。裏当て層及び接着剤層は、現在利用可能な任意の方法により得ることができる。例えば、裏当て層を得るために、押出プロセスが使用されてもよい。同様に、接着剤層も、任意の既知の方法で製造することができる。本明細書に記載されるような裏当て層が得られ、本明細書に記載されるような接着剤層が裏当て層の第２の表面に適用される。任意選択的に、剥離層を接着剤層に適用することができる。剥離層は、ユーザーによる適用前に粘着性物品から除去される。
【００５１】
上述のガーゼ付き絆創膏物品を製造するプロセスは、粘着性物品について先に説明した方法と類似のものであり得る。更なる構成部品、吸収性パッドを、現在利用可能である任意の方法により取得することができる。接着剤層が本明細書で説明するように裏当て層の第２の表面に適用された後、吸収性パッドは、接着剤層に関連づけられ、その結果、吸収性パッドが裏当て層に接合する。
【００５２】
上述の弱い線は、様々な製造工程により形成することができる。一部の実施形態では、機械的な穿孔器を採用して材料をミシン目形成することができる。従来技術において知られている高温ピン穿孔（hot pin perforation）が製造工程において使用することができる。キス切断（kiss cutting）及びダイス切断も、穿孔、スリット加工、及び／又は切れ目加工するために採用することができる。
【００５３】
超音波穿孔も従来技術において採用されている。超音波システムは、一定の空間の間隙を超音波機器とピンロールの間の織布の経路において設けてピンロールの近傍で超音波機器を採用する。一実施形態では、超音波システムは、張力を織布に供給するニップロールと、硬化鋼及び／又は非硬化鋼及び耐磨耗被膜で作製したピンロールと、強制空気流により冷却される超音波ホーンとを含む。超音波ホーン及びピンロールは、両者間に間隙がなく、かつ、ピンロールの較正及び極めて正確な機械加工が不要であるように位置決めされることが好ましい。本発明の方法は、織布を緊張状態に保持することと、織布をピンロールの間近である超音波機器で穿孔することと、超音波機器を強制空気流で冷却することと、を含む。結果的に得られる材料は、異常な断裂がないはっきりした穴を有し、隆起した環状縁部が穴の周りにない滑らかな面を有する。
【００５４】
上述したように、一部の実施形態では、弱体化された領域剥離強度は、第１の接着面の他の領域の剥離強度を下回るとすることができる。これは、いくつかの方法で達成することができる。低い方の剥離強度を有する接着剤を、スロット被覆ダイ（slot coating die）を使用するなどの方法により、除去可能なストリップに対応する領域に塗布することができる。あるいは、接着剤層は、除去可能なストリップに対応する領域ではほとんど接着剤が塗布されない状態で裏当て層の上で断続的なパターンで構成することができる。これは、スクリーン、スプレー、又は、接着剤の断続的な層を形成するために使用に関して当業者が理解する任意の他の方法を使用して達成することができる。他の実施形態では、除去可能なストリップに対応する接着剤の領域は、より小さい粘着性の肉薄裏当て（thin backing）又はシート材料など永久外装材で覆うことができる。１つのそのような材料は、商品名ＤＥＬＮＥＴ（ＤＥ、ＭｘｉｄｄｌｅｔｏｗｎのＤｅｌｓｔａｒ  Ｔｘｅｃｈｎｏｌｏｇｉｅｓ）で販売されているプラスチック製網である。
【００５５】
上述の細長い粘着性物品は、皮膚の表面の治療薬などの１つ以上の活性成分を送達するように理想的に適合させることもできる。本発明の救急絆４０に含有される場合、１つ以上の活性成分は、救急絆４０の吸収パッド４５に主に若しくは専らに含有されてもよい。本発明の細長い絆創膏４０を介して、皮膚に送達され得る活性成分の例示的な種類としては、抗生物質、鎮痛剤、解熱剤、抗菌剤、消毒剤、抗アレルギー剤、抗ニキビ剤、麻酔剤、抗炎症薬、止血剤、化粧品、ビタミン、血管拡張剤、皮膚軟化剤、ｐＨ調整剤、かゆみ止め薬、反対刺激剤、抗ヒスタミン剤、及びステロイドが挙げられるが、これらに限定されない。本発明のドレッシングを介して、皮膚に送達され得る特定の活性成分としては、クロルヘキシジン、硫酸ネオマイシン、硫酸ポリミキシン−Ｂ、亜鉛バシトラシン、塩化ベンザルコニウム、塩化セチルピリジニウム、ブピバカイン、テトラカイン、シンカイン、リドカイン、ベンゾカイン、スルファジアジン銀、ヒドロコルチゾン、メタンジエノン、トリプシン、トラゾリン、ヘパリン、プラモキシン、アロエベラ、トレチノイン、レチノール、レチンアルデヒド、メントール、カプサイシン、αヒドロキシ酸、及びビタミンＥなどのビタミンが挙げられる。
【００５６】
本発明は、以下の例示的な実施例を検討すればより良好に理解するであろう。
【実施例】
【００５７】
（実施例１）
試作モデルは、市販の創傷を覆う救急絆を使用して手製した。市販の救急絆は、登録商標ＢＡＮＤ−ＡＩＤ（登録商標）Ｂｒａｎｄ  Ａｄｈｅｓｉｖｅ  Ｂａｎｄａｇｅｓ  ｂｙ  Ｊｏｈｎｓｏｎ  ＆  Ｊｏｈｎｓｏｎ  Ｃｏｎｓｕｍｅｒ  Ｐｒｏｄｕｃｔｓ  Ｃｏｍｐａｎｙ（Ｓｋｉｌｌｍａｎ，ＮＪ）で販売されている。使用した救急絆は、「Ｓｈｅｅｒ  Ｓｔｒｉｐｓ」及び「Ｆｌｅｘｉｂｌｅ  Ｆａｂｒｉｃ」の名称で販売されている。両救急絆の寸法は、７．６２ｃｍ（３インチ）長×１．９１ｃｍ（０．７５インチ）幅であった。
【００５８】
試作モデルを作製するプロセスは、救急絆の外装材を除去することから始まった。次に、剥離層を粘着性領域から除去した。救急絆を、接着剤側を下にして、ハンドクリームの薄層で被覆した滑らかなポリプロピレンシート上に置いた。ハンドクリームにより、接着剤側がポリプロピレンシートに強力に付着しないように保たれた。ポリプロピレンシートを積み上げた約１０枚の５ｃｍ×５ｃｍのＰＯＳＴ−ＩＴ（登録商標）ノートシート（３Ｍ、Ｍｉｎｎｅａｐｏｌｉｓ、ＭＮ）上に置いた。シートは、切断処置用のクッションの役目をした。
【００５９】
スリット及び取出し点を、裏当て層を通る４つのスリット（２つずつを平行に２ヵ所）を切り込むために、モデルＸ３６０２  ＃２  Ｘ−ＡＣＴＯナイフ（Ｅｌｍｅｒ’ｓ  Ｐｒｏｄｕｃｔｓ，Ｉｎｃ．，Ｗｅｓｔｅｒｖｉｌｌｅ，ＯＨ）を使用して救急絆裏当て層において作成した。スリットの配置は、図５に示したスリット４７の場所と類似のものであった。それぞれのスリットは、約４ｍｍ長で、平行なスリット間の距離は、約４ｍｍであった。スリット間で、Ｘ−ＡＣＴＯナイフの先端を使用してミシン目の線を作成した。ミシン目の配置は、図５に示した弱い線４６の場所と類似のものであった。ミシン目は、長さほぼ０．５〜１ｍｍで、ほぼ０．５〜１ｍｍ離間させた。ミシン目の線当たりほぼ１０個のミシン目があった。
【００６０】
試作モデルを作製するプロセスは、救急絆を滑らかなポリプロピレンシートから除去して粘着性領域上の剥離層を交換することにより完了させた。
【００６１】
試作モデル救急絆の使用を実証するために、剥離層を救急絆から除去して、救急絆をユーザーの人差し指に接着剤側を下にして巻いた。裏当て層の重なりがあるように救急絆を巻いた。救急絆を除去するために、ユーザーは、反対の手の指の爪を使用して、剥離可能なストリップの一部を持ち上げた。その後、ユーザーは、ミシン目を長さに沿って断裂させて除去可能なストリップを除去した。その後、ユーザーは、試作モデル救急絆の断裂した縁部を利用して、人差し指から救急絆の残りを剥がした。
【００６２】
本発明の様々な実施形態を上記に記載したが、本発明の範囲又は趣旨から逸脱することなく、本発明に様々な修正及び変更を加えることができることが当業者には明らかである。したがって、本発明は、添付の特許請求の範囲及びそれらの同等物の範囲内であるとして、そのような修正及び変更を包含することが意図される。
【００６３】
〔実施の態様〕
（１）  幅を実質的に上回る長さを有する細長い粘着性物品であって、
ａ）厚さと、前記物品の前記長さにわたる第１及び第２の側縁部と、第１及び第２の端部とを有する、粘着剤が第１の表面上に配置された裏当て層と、
ｂ）前記物品の長さに実質的に垂直に配向される裏当て層の除去可能なストリップを含む単一の弱体化された領域と、を備え、前記裏当て層の除去可能なストリップは、約２〜約１５ｍｍの間隙により分離された１対の弱い線（lines of weakness）により少なくとも部分的に画定される、細長い粘着性物品。
（２）  前記１対の弱い線は、約２〜約６ｍｍの間隙により分離されている、実施態様１に記載の物品。
（３）  前記１対の弱い線は、前記第１の側縁部から前記第２の側縁部の方に延在する、実施態様１に記載の物品。
（４）  前記１対の弱い線は、前記物品の前記幅の実質上全てにまたがる、実施態様１に記載の物品。
（５）  弱いスパンの前記線の少なくとも１つ（at least one of the lines of weakness span）は、穿孔を含む、実施態様１に記載の物品。
【００６４】
（６）  弱いスパンの前記線の少なくとも１つは、前記裏当て層の前記厚さの低減を含む、実施態様１に記載の物品。
（７）  前記弱い線の少なくとも１つは、前記第１の側縁部に近接するスリットを含む、実施態様１に記載の物品。
（８）  前記スリットは、前記第１の側縁部に実質的に垂直に配向される、実施態様７に記載の物品。
（９）  前記弱い線は、実質的に平行である、実施態様１に記載の物品。
（１０）  前記裏当て層の前記第１の表面は、少なくとも２つの領域、つまり、前記除去可能なストリップに対応する第１の領域と、前記表面の他の部分に対応する第２の領域とを有し、前記第１の領域は、前記除去可能なストリップの剥離強度を有し、この剥離強度は、前記第２の領域の前記剥離強度を下回る、実施態様１に記載の物品。
【００６５】
（１１）  前記裏当て層の前記第１の表面に動作可能に接続された吸収性パッドを更に備える、実施態様１に記載の物品。
（１２）  前記吸収性パッドは、ファイバ、発泡体、及び親水コロイドからなる群から選択される１つ又は複数の材料を含む、実施態様１１に記載の物品。
（１３）  前記吸収性パッドは、織布又は不織布を含む、実施態様１２に記載の物品。
（１４）  前記吸収性パッドは、更に、少なくとも１つの活性成分を含む、実施態様１１に記載の物品。
（１５）  実施態様１に記載の前記細長い粘着性物品を使用する方法であって、
ａ）前記物品を哺乳類の皮膚に貼る工程と、
ｂ）前記物品の前記第１の側縁部に近接した前記裏当て層の除去可能なストリップを把持し、前記裏当て層の除去可能なストリップを引っ張って前記物品が貼られている前記皮膚から離し、それによって前記弱い線に沿って前記裏当て層を破断し、前記粘着性物品から前記裏当て層の除去可能なストリップを除去し、前記粘着性物品の残りを前記皮膚に付着したままにする工程と、
ｃ）前記粘着性物品の前記残りを把持して、前記粘着性物品の前記残りを前記皮膚から除去する工程と、を含む、方法。
【００６６】
（１６）  前記物品を貼る工程は、哺乳類の身体部を前記物品で取り囲むことと、前記第２の端部の上に前記第１の端部を重ね合わせることと、前記第１の端部を前記第２の端部に付着させることと、を含む、実施態様１５に記載の方法。
【図１】
2015093195.tif 000003
【図１ａ】
2015093195.tif 000004
【図２】
2015093195.tif 000005
【図３】
2015093195.tif 000006
【図３ａ】
2015093195.tif 000007
【図４】
2015093195.tif 000008
【図５】
2015093195.tif 000009
【図６】
2015093195.tif 000010
【図７】
2015093195.tif 000011
【図８】
2015093195.tif 000012
【図９】
2015093195.tif 000013
【図１０ａ】
2015093195.tif 000014
【図１０ｂ】
2015093195.tif 000015
【図１０ｃ】
2015093195.tif 000016
【外国語明細書】
2015093195000001.pdf